(57)【特許請求の範囲】
【請求項１】
入力音声を認識して対応する電話番号に基づくダイヤル発信を行う音声認識ダイヤル機能を備えた通信装置において、
電話番号の入力やダイヤル発信の禁止及び解除指示等を行う操作手段と、
使用者を認識する使用者音声を記憶する第１の記憶手段と、
上記操作手段により上記使用者音声と関連づけて入力された電話番号を記憶する第２の記憶手段と、
上記操作手段によるダイヤル発信の禁止指示に基づいてダイヤル発信の禁止状態に移行すると共に、このダイヤル発信の禁止状態において、上記操作手段によって入力された電話番号に基づくダイヤル発信を禁止する一方、上記音声認識ダイヤル機能を用いて認識された入力音声と上記第１の記憶手段に記憶された使用者音声とを比較し、一致しないときには認識不可のメッセージを表示し、一致したときには上記第２の記憶手段に記憶された関連する電話番号を読み出してダイヤル発信を許可する制御手段とを設けたことを特徴とする通信装置。
【請求項２】
上記第１の記憶手段はダイヤル発信の禁止状態を解除するパスワード音声を記憶しており、上記制御手段は、上記音声認識ダイヤル機能を用いて認識された入力音声と上記第１の記憶手段に記憶されたパスワード音声とを比較し、一致しないときには認識不可のメッセージを表示し、一致したときにおいてダイヤル発信の禁止状態を解除することを特徴とする請求項１記載の通信装置。
【請求項３】
基地局からの制御信号を受信することにより装置本体の現在位置を検知する検知手段を設け、
上記第２の記憶手段は特定の基地局の識別符号を記憶しており、上記制御手段は、上記検知手段によって受信された制御信号に含まれる基地局の識別符号と上記第２の記憶手段に記憶された識別符号とを比較し、一致しないときにはダイヤル発信の禁止状態に移行し、一致したときには自動フラグを立て、ダイヤル発信の禁止状態を解除することを特徴とする請求項１又は請求項２記載の通信装置。
【発明の詳細な説明】
【０００１】
【発明の属する技術分野】
本発明は、携帯電話機等の通信装置に関する。
【０００２】
【従来の技術】
従来より、携帯電話機等の通信装置においては、入力音声を認識し、その認識した音声が表す番号を電話番号としてダイヤル発信したり、その認識した音声に対応して記憶されている複数桁の電話番号を読み出してダイヤル発信したりする音声認識ダイヤル機能を備えたものがあり、又携帯電話機等のように機器毎に通信料金が課金されるような通信装置においては、装置本体が盗難されたときにおいて第三者に通信が無断に使用されるといったことを防止するために、使用者による所定の操作に基づいてダイヤル発信の禁止状態に移行してダイヤル発信を禁止すると共に、予め登録された暗証番号の入力によってダイヤル発信の禁止状態を解除してダイヤル発信を可能とするようにしたダイヤルロック機能を備えたものもあった。
【０００３】
【発明が解決しようとする課題】
ところが、上記従来装置では、ダイヤルロック機能によって装置本体が盗難されたときにおける第三者による通信の無断使用を防止することができるものの、使用者が通信に使用する場合には、その都度、予め登録された暗証番号の入力を行わなくてはならず、且つ通信の使用終了後においてダイヤルロック機能を再度設定しなくてはならず、使用者において繁雑な操作を要するといった問題点があった。
【０００４】
本発明は、使用者における繁雑な操作を要することなく、且つ第三者による通信の無断使用を防止しつつ、使用者における通信の使用を容易に行うことができる通信装置を提供することを目的とするものである。
【０００５】
【課題を解決するための手段】
上記目的を達成するために、請求項１記載の発明は、入力音声を認識して対応する電話番号に基づくダイヤル発信を行う音声認識ダイヤル機能を備えた通信装置において、電話番号の入力やダイヤル発信の禁止指示等を行う操作手段と、使用者を認識する使用者音声を記憶する第１の記憶手段と、上記操作手段により上記使用者音声と関連づけて入力された電話番号を記憶する第２の記憶手段と、上記操作手段によるダイヤル発信の禁止指示に基づいてダイヤル発信の禁止状態に移行すると共に、このダイヤル発信の禁止状態において、上記操作手段によって入力された電話番号に基づくダイヤル発信を禁止する一方、上記音声認識ダイヤル機能を用いて認識された入力音声と上記第１の記憶手段に記憶された使用者音声とを比較し、一致しないときには認識不可のメッセージを表示し、一致したときには上記第２の記憶手段に記憶された関連する電話番号を読み出してダイヤル発信を許可する制御手段とを設けたものである。
【０００６】
請求項２記載の発明は、上記第１の記憶手段はダイヤル発信の禁止状態を解除するパスワード音声を記憶しており、上記制御手段は、上記音声認識ダイヤル機能を用いて認識された入力音声と上記第１の記憶手段に記憶されたパスワード音声とを比較し、一致しないときには認識不可のメッセージを表示し、一致したときにおいてダイヤル発信の禁止状態を解除するものである。
【０００７】
請求項３記載の発明は、基地局からの制御信号を受信することにより装置本体の現在位置を検知する検知手段を設け、上記第２の記憶手段は特定の基地局の識別符号を記憶しており、上記制御手段は、上記検知手段によって受信された制御信号に含まれる基地局の識別符号と上記第２の記憶手段に記憶された識別符号とを比較し、一致しないときにはダイヤル発信の禁止状態に移行し、一致したときには自動フラグを立て、ダイヤル発信の禁止状態を解除するものである。
【０００８】
従って、請求項１の発明によれば、操作手段によってダイヤル発信の禁止指示が成されると、制御手段がダイヤル発信の禁止状態に移行し、制御手段はこのダイヤル発信の禁止状態において操作手段によって入力された電話番号に基づくダイヤル発信を禁止する一方、音声認識ダイヤル機能を用いて認識された入力音声と記憶された使用者音声とを比較し、一致しないときには認識不可のメッセージを表示し、一致するときは使用者音声と関連づけて入力された電話番号のダイヤル発信を許可することにより、ダイヤル発信の禁止状態において使用者のみが音声によるダイヤル発信を行うことができ、第三者によるダイヤル発信を禁止することができる。
【０００９】
請求項２記載の発明によれば、音声認識ダイヤル機能を用いて認識された入力音声とパスワード音声とを比較し、一致しないときには認識不可のメッセージを表示し、一致したときにおいてダイヤル発信の禁止状態を解除することにより、使用者においてダイヤル発信の禁止状態を容易に解除することができるとともに、第三者による解除を防止する。
【００１０】
請求項３記載の発明によれば、検知手段によって検知された現在位置が予め設定された位置以外のときは、制御手段によりダイヤル発信の禁止状態に移行し、予め設定された位置のときはダイヤル発信の禁止状態を解除することにより、使用者における繁雑な操作を要することなくダイヤル発信の禁止状態に移行し、さらに禁止状態を解除することができる。
【００１１】
【発明の実施の形態】
以下、本発明の実施の形態について図面を参照して詳細に説明する。
【００１２】
図１は本発明の通信装置の一実施の形態であるＰＨＳ端末の電気的構成を示す概略機能ブロック図、図２は同ＰＨＳ端末が通常状態にあるときのダイヤル発信時の動作制御を示すフローチャート、図３は同ＰＨＳ端末におけるダイヤルロック機能起動時の動作制御を示すフローチャート、図４は同ＰＨＳ端末がダイヤルロック機能起動中にあるときのダイヤル発信時の動作制御を示すフローチャート、図５は同ＰＨＳ端末におけるダイヤルロック機能解除時の動作制御を示すフローチャートである。
【００１３】
図１において、１はアンテナ、２はアンテナ１を介して図示しない基地局と所定の周波数帯域による電波の送受信を行う無線部、３は無線部２によって送受信される電波の変復調や各種データの判定／分離等の各種処理を行うチャネルコーデック部、４はチャネルコーデック部３によって分離された音声データの復調やチャネルコーデック部３によって合成する音声データの変調を行う音声コーデック部、５は音声コーデック部４によって復調された音声信号を外部に放音するスピーカ、６は外部音声を集音して電気信号に変換し、当該変換した音声信号を音声コーデック部４に送出するマイクである。
【００１４】
７は音声コーデック部３によって変調されたマイク６からの音声データを記憶する音声データ記憶部、８は音声データに対応する電話番号や、暗証番号等を記憶する番号データ記憶部、９は電話番号や暗証番号等の入力を行う数字キーとダイヤルロックモードへの移行指示等を行う各種機能キー等からなる操作入力部、１０は受信レベルの状態や電話番号等の各種情報を表示する表示部である。
【００１５】
１１はチャネルコーデック部３によって分離された制御データ、音声データ記憶部７に記憶された音声データ、番号データ記憶部８に記憶された電話番号データ、及び操作入力部９からの各種指示等に基づいてチャネルコーデック部３における各種処理の制御、音声コーデック部４における各種処理の制御、音声データ記憶部７における音声データの書込／読出制御、番号データ記憶部８における番号データの書込／読出制御、及び表示部１０における表示制御等を行う主制御部である。
【００１６】
上記のように構成されたＰＨＳ端末について、まず、ダイヤルロックモードに移行していない通常状態におけるダイヤル発信時の動作を図２に示すフローチャートに基づいて説明する。
【００１７】
使用者が操作入力部９を操作して音声登録モードに移行させると共に、登録番号を指定し、マイク６に使用者の音声を入力すると、主制御部１１は音声コーデック部４を制御してマイク６によって集音された音声信号をデジタル音声データに変調させ、その変調されたデジタル音声データを使用者音声データとして音声データ記憶部７の上記指定登録番号の領域に記憶させ、その後、操作入力部９によって入力された電話番号を番号データ記憶部８の上記指定登録番号の領域に記憶させ、又使用者が操作入力部９を操作してパスワード音声登録モードに移行させると共に、マイク６に使用者の音声を入力すると、主制御部１１は音声コーデック部４を制御してマイク６によって集音された音声信号をデジタル音声データに変調させ、その変調されたデジタル音声データをパスワード音声データとして音声データ記憶部７のパスワード領域に記憶させる。
【００１８】
そして、音声データ記憶部７に使用者音声データが、又番号データ記憶部８に電話番号データが記憶された状態において、使用者がマイク６に所定の音声を入力する（ステップＦ１）と、主制御部１１は音声コーデック部４を制御してマイク６によって集音された音声信号をデジタル音声データに変調させると共に、その変調されたデジタル音声データと音声データ記憶部７に記憶された音声データとの照合を行う（ステップＦ５）。
【００１９】
そして、その照合の結果、主制御部１１において音声コーデック部４によって変調されたデジタル音声データと音声データ記憶部７に記憶された音声データとが一致すると判定された場合（ステップＦ６）には、主制御部１１は一致した音声データに対応する登録番号を認識すると共に、番号データ記憶部８を制御してその登録番号の領域に対応する電話番号データを読み出して設定し（ステップＦ７）、その後、その設定された電話番号データをチャネルコーデック部３及び無線部２を介してアンテナ１によって図示しない基地局に送信することにより、所定の相手側端末の呼び出しを行い（ステップＦ４）、又主制御部１１において音声コーデック部４によって変調されたデジタル音声データと音声データ記憶部７に記憶された音声データとが一致しないと判定された場合（ステップＦ６）には、主制御部１１は表示部１０を制御して「認識不可」等のメッセージを表示させる（ステップＦ８）。
【００２０】
尚、使用者による操作入力部９による操作によって電話番号が直接入力された場合（ステップＦ２）には、主制御部１１はその操作入力部９によって入力された電話番号を電話番号データとして設定し（ステップＦ３）、その設定された電話番号データをチャネルコーデック部３及び無線部２を介してアンテナ１によって図示しない基地局に送信することにより、所定の相手側端末の呼び出しを行う（ステップＦ４）。
【００２１】
従って、上記動作制御によれば、ダイヤルロックモードに移行していない通常状態において、キー操作と音声認識の両方を用いてダイヤル発信を行うことができる。尚、上記動作制御においては、発信先を表すデジタル音声データと所定桁数の電話番号データとを対応させてダイヤル発信を行さわせるようにしたが、これに限定されるものではなく、例えばデジタル音声データと数字データとを対応させ、所定桁数の数字データを設定させた後、所定のキー操作や所定音声の入力によってダイヤル発信を行わせるようにしても良い。
【００２２】
次に、通常状態からダイヤルロックモードに移行するときの動作を図３に示すフローチャートに基づいて説明する。
【００２３】
主制御部１１はチャネルコーデック部３及び無線部２を制御して図示しない複数の基地局からの制御信号を受信すると共に、その受信された制御信号に含まれる基地局の識別符号（ＣＳ−ＩＤ）と一致する識別符号（ＣＳ−ＩＤ）が番号データ記憶部８に記憶されているか比較判定しており（ステップＦ１２）、主制御部１１において無線部２によって受信されチャネルコーデック部３によって分離された図示しない基地局よりの制御データに含まれる識別符号（ＣＳ−ＩＤ）と一致する識別符号（ＣＳ−ＩＤ）が番号データ記憶部８に記憶されていないと判定された場合には、主制御部１１は自動的にダイヤルロックモードに移行したことを表す自動フラグを立てる（ステップＦ１３）と共に、ダイヤルロックモードに移行する（ステップＦ１４）。
【００２４】
又、主制御部１１は使用者による操作入力部９による操作によってダイヤルロックモードへの移行が指示されたとき（ステップＦ１１）、自動フラグを降ろす（ステップＦ１５）と共に、ダイヤルロックモードに移行する（ステップＦ１４）。
【００２５】
従って、上記動作制御によれば、自動又は手動によってダイヤルロックモードに移行することができる。尚、自動的にダイヤルロックモードに移行させる動作については使用者によって予め許可されているときにおいて実行するようにすると良い。
【００２６】
次に、ダイヤルロックモードに移行している状態におけるダイヤル発信時の動作を図４に示すフローチャートに基づいて説明する。
【００２７】
音声データ記憶部７に使用者音声データが、又番号データ記憶部８に電話番号データが記憶された状態において、使用者がマイク６に所定の音声を入力する（ステップＦ２１）と、主制御部１１は音声コーデック部４を制御してマイク６によって集音された音声信号をデジタル音声データに変調させると共に、その変調されたデジタル音声データと音声データ記憶部７に記憶された音声データとの照合を行う（ステップＦ２２）。
【００２８】
そして、その照合の結果、主制御部１１において音声コーデック部４によって変調されたデジタル音声データと音声データ記憶部７に記憶された音声データとが一致すると判定された場合（ステップＦ２３）には、主制御部１１は一致した音声データに対応する登録番号を認識すると共に、番号データ記憶部８を制御してその登録番号の領域に対応する電話番号データを読み出して設定し（ステップＦ２４）、その後、その設定された電話番号データをチャネルコーデック部３及び無線部２を介してアンテナ１によって図示しない基地局に送信することにより、所定の相手側端末の呼び出しを行い（ステップＦ２５）、又主制御部１１において音声コーデック部４によって変調されたデジタル音声データと音声データ記憶部７に記憶された音声データとが一致しないと判定された場合（ステップＦ２３）には、主制御部１１は表示部１０を制御して「認識不可」等のメッセージを表示させる（ステップＦ２６）。
【００２９】
尚、使用者による操作入力部９による操作によって電話番号が直接入力された場合には、主制御部１１は後述する暗証番号との比較動作制御を行う。
【００３０】
従って、上記動作制御によれば、ダイヤルロックモードに移行している状態において、キー操作によるダイヤル発信を禁止し、音声認識を用いたダイヤル発信のみ行うことができる。
【００３１】
最後に、ダイヤルロックモードから通常状態に移行するときの動作を図５に示すフローチャートに基づいて説明する。
【００３２】
ダイヤルロックモードに移行している状態において、使用者がマイク６に所定の音声を入力する（ステップＦ３１）と、主制御部１１は音声コーデック部４を制御してマイク６によって集音された音声信号をデジタル音声データに変調させると共に、その変調されたデジタル音声データと音声データ記憶部７に記憶された音声データとの照合を行う（ステップＦ３７）。
【００３３】
そして、その照合の結果、主制御部１１において音声コーデック部４によって変調されたデジタル音声データと音声データ記憶部７に記憶されたパスワード音声データとが一致すると判定された場合（ステップＦ３８）には、主制御部１１はダイヤルロックモードを解除して通常状態に移行させ（ステップＦ３５）、又何れの音声データにも一致しないと判定された場合には、主制御部１１は表示部１０を制御して「認識不可」又は「パスワード誤り」等のメッセージを表示させる（ステップＦ３９）。
【００３４】
又、主制御部１１はチャネルコーデック部３及び無線部２を制御して図示しない複数の基地局からの制御信号を受信すると共に、その受信された制御信号に含まれる基地局の識別符号（ＣＳ−ＩＤ）と一致する識別符号（ＣＳ−ＩＤ）が番号データ記憶部８に記憶されているか比較判定しており（ステップＦ３２）、主制御部１１において無線部２によって受信されチャネルコーデック部３によって分離された図示しない基地局よりの制御データに含まれる識別符号（ＣＳ−ＩＤ）と一致する識別符号（ＣＳ−ＩＤ）が番号データ記憶部８に記憶されていると判定された場合には、主制御部１１は自動フラグを確認し（ステップＦ３６）、自動フラグが立っていると確認された場合においてのみ、ダイヤルロックモードを解除して通常状態に移行する（ステップＦ３５）。
【００３５】
更に、主制御部１１は使用者による操作入力部９による操作によって暗証番号が入力され（ステップＦ３３）、その暗証番号が番号記憶部８に記憶された暗証番号と一致するとき（ステップＦ３４）においてダイヤルロックモードを解除して通常状態に移行する（ステップＦ３５）。
【００３６】
従って、上記動作制御によれば、パスワード音声を登録した使用者、若しくは特定の暗証番号を知っている使用者においてダイヤルロックモードを解除することができると共に、所定のエリアにおいてのみ自動的にダイヤルロックモードを解除させて通常に使用することができる。
【００３７】
【発明の効果】
以上のように、請求項１記載の発明によれば、ダイヤル発信の禁止状態において、使用者の音声入力によるダイヤル発信のみを許可することにより、第三者によるダイヤル発信を禁止しつつ、使用者における簡単な操作によってダイヤル発信を行うことができるため、使用者における使い勝手を低下させることなく、盗難等による第三者による無断使用を防止することができる。
【００３８】
請求項２記載の発明によれば、ダイヤル発信の禁止状態において使用者が予め登録した音声を入力することにより、ダイヤル発信の禁止状態を解除することができるため、使用者における簡単な操作によってキー操作に基づくダイヤル発信や各種機能の起動等を実行可能な状態にすることができ、使用者における使い勝手を向上させることができる。
【００３９】
請求項３記載の発明によれば、装置本体の現在位置に基づいて自動的にダイヤル発信の禁止状態への移行及び解除を行わせることができるため、盗難等による第三者による無断使用をより一層防止することができる。
【図面の簡単な説明】
【図１】本発明の通信装置の一実施の形態である携帯電話機の電気的構成を示す概略機能ブロック図。
【図２】同ＰＨＳ端末が通常状態にあるときのダイヤル発信時の動作制御を示すフローチャート。
【図３】同ＰＨＳ端末におけるダイヤルロック機能起動時の動作制御を示すフローチャート。
【図４】同ＰＨＳ端末がダイヤルロック機能起動中にあるときのダイヤル発信時の動作制御を示すフローチャート。
【図５】同ＰＨＳ端末におけるダイヤルロック機能解除時の動作制御を示すフローチャート。
【符号の説明】
１    アンテナ
２    無線部
３    チャネルコーデック部
４    音声コーデック部
５    スピーカ
６    マイク
７    音声データ記憶部
８    番号データ記憶部
９    操作入力部
１０    表示部
１１    主制御部
【図１】
0003591208.tif 000002
【図２】
0003591208.tif 000003
【図３】
0003591208.tif 000004
【図４】
0003591208.tif 000005
【図５】
0003591208.tif 000006